(57)【要約】【課題】スラットの表面と裏面の各々を、同じ生地面で統一することを可能とした縦型ブラインドを提供する。【解決手段】ハンガーレール１から吊下支持される複数のスラット３の各々の下端部３ａにバランスウェイト７を取着した縦型ブラインドにおいて、スラット３は、表柄１２ａを有する表生地面１５ａと、裏柄１２ｂを有する裏生地面１５ｂとを有する生地要素１５を備え、スラット表面１１ａは、バランスウェイト７が配置されている表下部領域１３ａおよび表下部領域１３ａの上側に位置する表主領域１４ａが表生地面１５ａで構成され、スラット裏面１１ｂは、バランスウェイト７が配置されている裏下部領域１３ｂおよび裏下部領域１３ｂの上側に位置する裏主領域１４ｂが裏生地面１５ｂで構成されている。【選択図】図１
2020002680.tif 000002
【特許請求の範囲】
【請求項１】
支持部材に支持された遮蔽材の各々の下端部にウェイト部材を取着した遮蔽装置において、
前記遮蔽材は、生地要素を備え、
前記遮蔽材の表面および裏面である各生地面は、別々の柄を備え、
前記遮蔽材の表面および裏面である各遮蔽材面は、前記ウェイト部材が配置される領域と当該領域以外の領域とで同じ生地面を備える
遮蔽装置。
【請求項２】
前記遮蔽材の表面および裏面のうちの一方の第１遮蔽材面は、前記ウェイト部材が配置されている第１下部領域および前記第１下部領域の上側に位置する第１主領域が共に第１柄を有する第１生地面で構成され、
他方の第２遮蔽材面は、前記ウェイト部材が配置されている第２下部領域および前記第２下部領域の上側に位置する第２主領域が共に第２柄を有する第２生地面で構成されている
請求項１に記載の遮蔽装置。
【請求項３】
前記生地要素は、各遮蔽材面の前記ウェイト部材が配置される領域を構成する取付部を備え、
前記取付部は、前記ウェイト部材の表面および裏面のうちの一方の第１外表面に延在する第１延在部と、他方の第２外表面に延在する第２延在部とを備え、
前記第２延在部は、前記第１延在部の下縁部に対して裏返された片が剥ぎ合わされて構成されている
請求項１に記載の遮蔽装置。
【請求項４】
前記ウェイト部材は、前記第１外表面を備える第１半体と、前記第２外表面を備える第２半体とを備え、
前記取付部は、前記第２延在部と連続して構成され、前記第１半体と前記第２半体とに挟み込まれる固定部を備える
請求項３に記載の遮蔽装置。
【請求項５】
前記第１延在部の上縁部に対しても前記第２延在部が縫着され、前記ウェイト部材が挿入される筒状部が構成されている
請求項３に記載の遮蔽装置。
【請求項６】
前記生地要素は、各遮蔽材面の前記ウェイト部材が配置される領域を構成する取付部を備え、
前記ウェイト部材は、第１外表面を備える第１半体と、第２外表面を備える第２半体とを備え、
前記取付部は、前記第１外表面に延在する第１延在部と、前記第１延在部に対して折り返されて前記第１半体と前記第２半体とに挟み込まれる第１固定部と、前記第１固定部に対して折り返されて前記第２外表面に延在する第２延在部と、前記第２延在部に対して折り返されて前記第１固定部と共に前記第１半体と前記第２半体とに挟み込まれる第２固定部とを備える
請求項１に記載の遮蔽装置。
【請求項７】
前記ウェイト部材は、前記第１半体および前記第２半体の上側にヒンジ部を備えている
請求項６に記載の遮蔽装置。
【請求項８】
前記ウェイト部材は、前記第１半体および前記第２半体の下側にヒンジ部を備えている
請求項６に記載の遮蔽装置。
【請求項９】
前記遮蔽材は、前記支持部材から吊り下げ支持された複数の縦型スラットであり、
前記ウェイト部材は、前記縦型スラットの各々の下端部に取り付けられるバランスウェイトである
請求項１ないし８のうち何れか１項に記載の遮蔽装置。
【請求項１０】
前記遮蔽材は、スクリーンであり、前記支持部材に対して巻き取り可能に吊り下げられており、
前記ウェイト部材は、ウェイトバーである
請求項５に記載の遮蔽装置。
【発明の詳細な説明】
【技術分野】
【０００１】
本発明は、支持部材に支持されている遮蔽材の下端部にウェイト部材を取着し、ウェイト部材を遮蔽材を構成する生地要素で被覆する遮蔽装置に関する。
【背景技術】
【０００２】
遮蔽装置のなかの１つである縦型ブラインドは、支持部材としてのハンガーレールに沿って移動するランナに遮蔽材としてのスラットが移動可能かつ回動可能に支持されている。そして、操作装置の操作によりハンガーレールに沿ってスラットを移動することができ、また、各スラットを所望角度に回動させることにより、外光を適宜に遮断しあるいは採り入れることが可能である。各スラットの下端部には、ウェイト部材としてのバランスウェイトがそれぞれ取着され、各スラットは、バランスウェイトの荷重により平板状に引き伸ばされた状態で垂下される。バランスウェイトは、特許文献１のように、スラットの下端部の生地で被覆されている。
【先行技術文献】
【特許文献】
【０００３】
【特許文献１】特開平１０−１８４２４２号公報
【発明の概要】
【発明が解決しようとする課題】
【０００４】
各スラットは、スラット表面とスラット裏面とを備えている。各スラットは、長尺な生地要素を主要構成要素としている。生地要素も、表裏を構成する表生地面と裏生地面とを備え、表生地面には表柄が施され、裏生地面には裏柄が施されている。そして、生地要素の下端部がバランスウェイトを取り付けるための取付部となっており、取付部はバランスウェイトの外表面および外裏面を被覆している。具体的に、生地要素の取付部は、バランスウェイトの外表面において上側から下側に延在され、バランスウェイトの下側で外裏面の方へ折り返され、外裏面において下側から上側に延在され、その後、下側に向かって折り返してバランスウェイトを構成する表半体と裏半体との間に挟み込まれてバランスウェイトに固定される。したがって、スラット表面は、表柄で統一されるものの、スラット裏面では、バランスウェイトの上側の裏主領域が裏柄で、バランスウェイトが配置される裏下部領域が表柄となってしまう。すなわち、スラット裏面は、裏主領域が裏生地面で構成され、裏下部領域が表生地面で構成されることになり、裏柄で統一されず美観が損なわれている。
【０００５】
このような問題は、遮蔽材としてのスクリーンを支持部材に対して巻き取り可能に吊り下げているロールスクリーンにも当てはまる。すなわち、ロールスクリーンは、スクリーンの下端部に取り付けられたウェイト部材としてのウェイトバーが取り付けられている。ウェイトバーは、スクリーンの下端部を袋縫いして構成した筒状部に挿入されている。したがって、スクリーン表面は、表柄で統一されるものの、スクリーン裏面では、ウェイトバーの上側の裏主領域が裏柄で、ウェイトバートが配置される裏下部領域が表柄となってしまう。すなわち、スクリーン裏面は、裏主領域が裏生地面で構成され、裏下部領域が表生地面で構成されることになり、裏柄で統一されず美観が損なわれている。
【０００６】
本発明は、上記課題を解決するためになされたものであり、その目的は、遮蔽材の表面と裏面の各々を、同じ生地面で統一して美観を向上させた遮蔽装置を提供することにある。
【課題を解決するための手段】
【０００７】
上記課題を解決するための遮蔽装置は、支持部材に支持された遮蔽材の各々の下端部にウェイト部材を取着した遮蔽装置において、前記遮蔽材は、生地要素を備え、前記遮蔽材の表面および裏面である各生地面は、別々の柄を備え、前記遮蔽材の表面および裏面である各遮蔽材面は、前記ウェイト部材が配置される領域と当該領域以外の領域とで同じ生地面を備える。
【０００８】
上記遮蔽装置において、前記遮蔽材の表面および裏面のうちの一方の第１遮蔽材面は、前記ウェイト部材が配置されている第１下部領域および前記第１下部領域の上側に位置する第１主領域が共に第１柄を有する第１生地面で構成され、他方の第２遮蔽材面は、前記ウェイト部材が配置されている第２下部領域および前記第２下部領域の上側に位置する第２主領域が共に第２柄を有する第２生地面で構成されているようにしてもよい。
【０００９】
上記遮蔽装置において、前記生地要素は、各遮蔽材面の前記ウェイト部材が配置される領域を構成する取付部を備え、前記取付部は、前記ウェイト部材の表面および裏面のうちの一方の第１外表面に延在する第１延在部と、他方の第２外表面に延在する第２延在部とを備え、前記第２延在部は、前記第１延在部の下縁部に対して裏返された片が剥ぎ合わされて構成されていてもよい。
【００１０】
上記遮蔽装置において、前記ウェイト部材は、前記第１外表面を備える第１半体と、前記第２外表面を備える第２半体とを備え、前記取付部は、前記第２延在部と連続して構成され、前記第１半体と前記第２半体とに挟み込まれる固定部を備えるようにしてもよい。
【００１１】
上記遮蔽装置において、前記第１延在部の上縁部に対しても前記第２延在部が縫着され、前記ウェイト部材が挿入される筒状部が構成されているようにしてもよい。
上記遮蔽装置において、前記生地要素は、各遮蔽材面の前記ウェイト部材が配置される領域を構成する取付部を備え、前記ウェイト部材は、第１外表面を備える第１半体と、第２外表面を備える第２半体とを備え、前記取付部は、前記第１外表面に延在する第１延在部と、前記第１延在部に対して折り返されて前記第１半体と前記第２半体とに挟み込まれる第１固定部と、前記第１固定部に対して折り返されて前記第２外表面に延在する第２延在部と、前記第２延在部に対して折り返されて前記第１固定部と共に前記第１半体と前記第２半体とに挟み込まれる第２固定部とを備えるようにしてもよい。
【００１２】
上記遮蔽装置において、前記ウェイト部材は、前記第１半体および前記第２半体の上側にヒンジ部を備えているようにしてもよい。
上記遮蔽装置において、前記ウェイト部材は、前記第１半体および前記第２半体の下側にヒンジ部を備えているようにしてもよい。
【００１３】
上記遮蔽装置において、前記遮蔽材は、前記支持部材から吊り下げ支持された複数の縦型スラットであり、前記ウェイト部材は、前記スラットの各々の下端部に取り付けられるバランスウェイトであることが好ましい。
【００１４】
上記遮蔽装置において、前記遮蔽材は、スクリーンであり、前記支持部材に対して巻き取り可能に吊り下げられており、前記ウェイト部材は、ウェイトバーであることが好ましい。
【発明の効果】
【００１５】
本発明によれば、遮蔽材の美観を向上させた遮蔽装置を提供することができる。
【図面の簡単な説明】
【００１６】
【図１】（ａ）は、第１実施形態における縦型ブラインドの正面図、（ｂ）は、スラット表面を示す正面図、（ｃ）は、スラット裏面を示す背面図。
【図２】（ａ）は、スラットを構成する生地要素を表生地面側から見た斜視図、（ｂ）は、裁断片が袋縫いされていない状態の生地要素を裏生地面側から見た斜視図、（ｃ）は、裁断片が剥ぎ合わせされた状態の生地要素を裏生地面側から見た斜視図、（ｄ）は、裁断片が剥ぎ合わせされた状態の生地要素を表生地面側から見た斜視図。
【図３】第１実施形態で使用するバランスウェイトであって、表半体と裏半体とが開いた状態を示す斜視図。
【図４】第１実施形態で使用するバランスウェイトに対して生地要素を取り付ける状態を裏側から見た斜視図。
【図５】（ａ）は、第２実施形態であって、生地要素を裏生地面側から見た斜視図、（ｂ）は、第２実施形態であって、生地要素にバランスウェイトの取付部としての筒状部を構成する直前の状態を示す斜視図、（ｃ）は、筒状部にバランスウェイトが挿入される状態を示す斜視図。
【図６】（ａ）は、第３実施形態で使用する生地要素を裏生地面側から見た斜視図、（ｂ）は、第３実施形態で使用するバランスウェイトであって、表半体と裏半体とが開いた状態を示す斜視図。
【図７】第３実施形態で使用するバランスウェイトに対して生地要素を取り付ける状態を示す斜視図。
【図８】第４実施形態で使用するバランスウェイトに対して生地要素を取り付ける状態を示す斜視図。
【図９】第５実施形態で使用するバランスウェイトであって、表半体と裏半体とが開いた状態を示す斜視図。
【図１０】第５実施形態で使用するバランスウェイトに対して生地要素を取り付ける状態を示す斜視図。
【図１１】第６実施形態におけるロールスクリーンを表面側から見た斜視図。
【図１２】（ａ）は、第６実施形態であって、生地要素を裏生地面側から見た斜視図、（ｂ）は、第６実施形態であって、生地要素にウェイトバーの取付部としての筒状部を構成する直前の状態を裏生地面側から見た示す斜視図、（ｃ）は、筒状部にウェイトバーが挿入する状態を示す斜視図。
【発明を実施するための形態】
【００１７】
以下、本発明が適用された縦型ブラインドについて図面を参照して説明する。
〔第１実施形態〕
図１（ａ）に示すように、遮蔽装置としての縦型ブラインドは、支持部材としてのハンガーレール１内に多数のランナ２がハンガーレール１の長手方向に沿って移動可能に支持され、各ランナ２から遮蔽材としての縦型のスラット３が垂下されている。各スラット３は、垂下する方向を回転軸として回動可能に取り付けられている。
【００１８】
ハンガーレール１の長手方向の一端部には、操作コード４およびチルトポール５が垂下されている。操作コード４の操作に基づいてハンガーレール１内の駆動軸６が回転されると、先頭ランナ２ａがハンガーレール１内を移動する。そして、先頭ランナ２ａの移動にともなって後続のランナ２が順次移動する。移動方向に応じて、各スラット３の引き出し操作と畳み込み操作が行われる。また、チルトポール５の回転操作に基づいて、ハンガーレール１内の角度調節軸（図示しない）が回転され、各ランナ内のギヤ機構を介して各スラット３が同位相で角度調節される。
【００１９】
各スラット３は、長尺の矩形形状を有しており、上端部に接続されるランナ２を備えている。また、各スラット３は、その下端部３ａに取着されるウェイト部材としてのバランスウェイト７を備えている。各バランスウェイト７は、ボトムコード８によって連結されている。これにより、スラット３が移動する際にも、スラット３の揺動が抑制される。
【００２０】
各スラット３は、第１遮蔽材面（第１スラット面）としてのスラット表面１１ａと、第２遮蔽材面（第２スラット面）としてのスラット裏面１１ｂとを備えている。スラット表面１１ａには、第１柄としての表柄（図中、文字「Ａ」）１２ａが施されており、スラット裏面１１ｂには、第２柄としての裏柄（図中、文字「Ｂ」）１２ｂが施されている。図１（ｂ）に示すように、スラット表面１１ａは、バランスウェイト７が配置される第１下部領域としての表下部領域１３ａと、表下部領域１３ａの上側に位置する第１主領域としての表主領域１４ａとを備えている。そして、表下部領域１３ａおよび表主領域１４ａとは表柄１２ａで統一されている。
【００２１】
図１（ｃ）に示すように、スラット裏面１１ｂは、バランスウェイト７が配置される第２下部領域としての裏下部領域１３ｂと、裏下部領域１３ｂの上側に位置する第２主領域としての裏主領域１４ｂとを備えている。裏下部領域１３ｂおよび裏主領域１４ｂとは裏柄１２ｂで統一されている。
【００２２】
表柄１２ａや裏柄１２ｂは、「Ａ」、「Ｂ」といったアルファベット、数字、ひらがな、カタカナ、漢字、記号など文字、キャラクタ、線、図形などで構成された模様で構成されている。また、表柄１２ａや裏柄１２ｂは、このような模様もしくは色彩またはこれらの結合で構成されている。スラット表面１１ａとスラット裏面１１ｂとは、このような要素で構成される柄によって色違いや柄違いとされている。
【００２３】
各スラット３は、長尺の生地要素１５によって構成されている。生地要素１５は、織物、編物、不織布などである。また、生地要素１５は、樹脂が含浸加工された織物、編物、不織布などである。樹脂が含浸加工された生地要素１５は、柔らかい生地に対して樹脂が含浸加工されることによって、繊維が解れにくくなり、また、皺になりにくくなる。また、生地の伸縮を抑制することができ、これにより、平面性または平坦性に優れ、形状安定性に優れた生地とすることができる。また、樹脂が含浸加工された生地要素１５に防炎剤を織り込むことで、防炎性能を付加することも可能である。生地要素１５は、無地であってもよいし、柄が付いていてもよい。また、生地要素１５は、レース生地や刺しゅう付きの生地などであってもよい。
【００２４】
生地要素１５は、第１生地面としての表生地面１５ａ（図２（ａ）参照）と、第２生地面としての裏生地面１５ｂ（図２（ｂ）参照）とを備えている。表生地面１５ａには、上述の表柄（図中、文字「Ａ」）１２ａが設けられており、裏生地面１５ｂには、裏柄（図中、文字「Ｂ」）１２ｂが設けられている。生地要素１５は、表主領域１４ａおよび裏主領域１４ｂを備えた主部１６と、主部１６の下側に連続して設けられるバランスウェイト７に対する取付部１７とを備えている。
【００２５】
取付部１７は、バランスウェイト７の第１外表面としての外表面７ａに延在する第１延在部１８ａと、バランスウェイト７の第２外表面としての外裏面７ｂに延在する第２延在部１８ｂとを備えている。さらに、第２延在部１８ｂに連続してバランスウェイト７に固定するための固定部１８ｃを備えている。
【００２６】
第１延在部１８ａは、外表面７ａと同形状で同じ大きさを有している。第１延在部１８ａは、外表面７ａに対して表柄１２ａが外方を向くように配置され、スラット表面１１ａの表下部領域１３ａを構成する部分である。そして、第１延在部１８ａは、主部１６の下側に連続した領域である。
【００２７】
図２（ｂ）に示すように、第２延在部１８ｂおよび固定部１８ｃは、第１延在部１８ａの下縁部の領域を裁断した裁断片１９で構成されている。図２（ｃ）および（ｄ）に示すように、裁断片１９は、第１延在部１８ａに対して裏返され、第１延在部１８ａに対して剥ぎ合わせによって縫着されている。すなわち、第１延在部１８ａの下縁部と裏返した裁断片１９の上縁部とを重ねて縫い代１９ａを設け、縫い代１９ａを縫い合わせることによって一連に繋げられる。縫い代１９ａは、バランスウェイト７に取り付けられるとき、バランスウェイト７のヒンジ部２２の部分で折返部の内側に位置して、露出することはない。
【００２８】
第２延在部１８ｂは、外裏面７ｂと同形状で同じ大きさを有している。第２延在部１８ｂは、外裏面７ｂに対して裏柄１２ｂが外方を向くように配置され、スラット裏面１１ｂの裏下部領域１３ｂ構成する部分である。固定部１８ｃは、バランスウェイト７を構成する半体の間に挟み込まれる領域であり、半体の間に確実に固定できる大きさを有している。すなわち、生地要素１５を表生地面１５ａ側から見たとき、第１延在部１８ａには、主部１６（表主領域１４ａ）と同じ表柄１２ａが設けられ、第２延在部１８ｂおよび固定部１８ｃには、裏柄１２ｂが設けられることになる（図２（ｃ）参照）。
【００２９】
図３に示すように、バランスウェイト７は、全体が矩形板形状を有しており、第１半体としての表半体２１ａと、第２半体としての裏半体２１ｂと、ヒンジ部２２とを備え、対となる表半体２１ａと裏半体２１ｂとがヒンジ部２２を介して一体となっている。表半体２１ａと裏半体２１ｂは、ヒンジ部２２で折曲されることで、固定部１８ｃを挟み込んだ状態で突き合わされる。表半体２１ａおよび裏半体２１ｂは、ほぼ同じ形状および大きさの矩形形状を有している。バランスウェイト７は、その長手方向の寸法がスラット３の幅方向の寸法とほぼ一致している。表半体２１ａは、第１表面としての外表面７ａを備え、裏半体２１ｂは、第２外表面としての外裏面７ｂとを備えている。表半体２１ａの内面には、鉄板などのウェイト板２３が備えられている。なお、ウェイト板２３は、裏半体２１ｂの内面に配置してもよいし、表半体２１ａおよび裏半体２１ｂの各内面に配置するようにしてもよい。ヒンジ部２２は、表半体２１ａおよび裏半体２１ｂを下縁部において連結している。ヒンジ部２２は、表半体２１ａおよび裏半体２１ｂに対して薄肉にして構成されている。
【００３０】
また、表半体２１ａは、上側の長辺と当該長辺に隣接する２つの短辺とで構成される２つのコーナ部に、突片２３ａを備えている。裏半体２１ｂは、上側の長辺と当該長辺に隣接する２つの短辺とで構成される２つのコーナ部に、突片２３ａと対をなす突片２３ｂを備えている。突片２３ｂには、突片２３ａが係合される係合孔２３ｃを備えている。突片２３ａと係合孔２３ｃとが係合することによって、表半体２１ａおよび裏半体２１ｂとは、互いに突き合わされた状態に維持される。突片２３ｂと同じ位置には、さらにボトムコード８が掛けとめられる掛け止め片２３ｄを備えている。掛け止め片２３ｄは、掛け止め孔２３ｅを備えている。ボトムコード８は、掛け止め孔２３ｅに係止される。また、ボトムコード８は、リング部材を介して掛け止め孔２３ｅに係止される。
【００３１】
裏半体２１ｂの内面は、係止突起２４を複数備えている。係止突起２４は、先鋭形状を有しており、固定部１８ｃを挟み込むときに、固定部１８ｃを係止して、バランスウェイト７が取付部１７に対して脱落しにくくする。なお、係止突起２４は、表半体２１ａの内面に設けられていてもよい。また、表半体２１ａにおいて、上側の長辺に沿う位置には、取付部１７が挿通される挿通口２５を備えている。また、表半体２１ａおよび裏半体２１ｂの上縁部には、表半体２１ａおよび裏半体２１ｂが突き合わされた状態において、取付部１７が導出される導出部２６が構成される。
【００３２】
以上のように構成されたバランスウェイト７は、次のように生地要素１５の取付部１７に取り付けられる。図４に示すように、先ず、バランスウェイト７は、ヒンジ部２２を下側にして表半体２１ａおよび裏半体２１ｂをＶ字型の半開きの状態にする。そして、上側の導出部２６となる開口端（表半体２１ａおよび裏半体２１ｂの間）から、取付部１７の挿入端、すなわち固定部１８ｃの先端部１７ａが導入される（図４中ｉ参照）。そして、先端部１７ａは、挿通口２５を通じて、表半体２１ａの外表面７ａに導出される。その後、先端部１７ａは、外表面７ａの上側から下側に導かれ、ヒンジ部２２の部分で、裏半体２１ｂの外裏面７ｂの下側から上側に向かって折り返される（図４中ｉｉ参照）。この際、縫い代１９ａは、折り曲げられた折曲部の内側に位置し、外方に露出することはない。
【００３３】
そして、先端部１７ａは、裏半体２１ｂの上側の導出部２６となる開口端で下側に向かって折り返される（図４中ｉｉｉ参照）。これにより、第１延在部１８ａは、表柄１２ａが外方を向くようにして表半体２１ａの外表面７ａに延在する。また、第２延在部１８ｂは、裏柄１２ｂが外方を向くようにして裏半体２１ｂの外裏面７ｂに延在する。そして、固定部１８ｃが表半体２１ａおよび裏半体２１ｂの間に挟まれることになる。この後、半開きの状態の表半体２１ａおよび裏半体２１ｂは、閉じられ、結合される。これにより、バランスウェイト７は、スラット３の下端部３ａにおいて、生地要素１５の取付部１７によって被覆される。
【００３４】
以上のような縦型ブラインドの第１実施形態は、以下に列挙する効果を得ることができる。
（１−１）スラット３のスラット表面１１ａは、表下部領域１３ａおよび表主領域１４ａが生地要素１５の表生地面１５ａで統一され、スラット裏面１１ｂは、裏下部領域１３ｂおよび裏主領域１４ｂが裏生地面１５ｂで統一される。すなわち、スラット表面１１ａは、表下部領域１３ａおよび表主領域１４ａが表柄１２ａで統一され、スラット裏面１１ｂは、裏下部領域１３ｂおよび裏主領域１４ｂが裏柄１２ｂで統一される。したがって、スラット３を裏側から見たときも、表側から見たときと同様に、意匠を向上することができる。
【００３５】
（１−２）第２延在部１８ｂに連続する固定部１８ｃをバランスウェイト７の表半体２１ａと裏半体２１ｂとの間に挟み込むことで、生地要素１５でバランスウェイト７を被覆した状態で、生地要素１５を表半体２１ａと裏半体２１ｂとの間に固定することができる。
【００３６】
（１−３）裁断片１９で構成される第２延在部１８ｂおよび固定部１８ｃは、第１延在部１８ａを裁断後、裏返して第１延在部１８ａに対して袋縫いすることによって容易に設けることができる。
【００３７】
なお、第１実施形態の縦型ブラインドは、さらに、例えば以下のように適宜変更して実施することもできる。
バランスウェイト７は、図３の構成に限定されるものではない。例えば、表半体２１ａと裏半体２１ｂとは、ヒンジ部２２で一連に連結されておらず、別体であってもよい。この場合、表半体２１ａと裏半体２１ｂとは、別部材のヒンジ部材で連結されることになる。このような場合にも、取付部１７の第１延在部１８ａ、第２延在部１８ｂ、および固定部１８ｃは、図３の表半体２１ａと裏半体２１ｂとがヒンジ部２２で一連に連結されたバランスウェイト７の場合（図４参照）と同じような手順で巻き回される。そして、表半体２１ａと裏半体２１ｂが固定部１８ｃの間に挟んだ状態で結合される。また、バランスウェイト７は、ヒンジ部を備えておらず、別々の板材である表半体２１ａと裏半体２１ｂとで構成されていてもよい。
【００３８】
〔第２実施形態〕
図５（ａ）および（ｂ）に示すように、第２実施形態の生地要素１５は、第１実施形態における生地要素１５の取付部１７において、固定部１８ｃを備えていない。すなわち、裁断片１９は、第２延在部１８ｂを構成するだけである。そして、第１延在部１８ａと第２延在部１８ｂの境界である縫い代１９ａの部分で、第２延在部１８ｂは、その下縁部２７が上を向くように折り返され、下縁部２７が第１延在部１８ａと主部１６との境界部に縫着される。下縁部２７は、当該境界部に対する縫い代を備えていてもよい。図５（ｃ）に示すように、これにより、取付部１７は、第１延在部１８ａと第２延在部１８ｂとにより筒状部２８が構成される。そして、バランスウェイト７は、筒状部２８に対して挿入されることで、筒状部２８に被覆されるようにして取り付けられる。
【００３９】
以上のような縦型ブラインドの第２実施形態では、以下に列挙する効果を得ることができる。
（２−１）裁断片１９は、第１実施形態における固定部１８ｃが不要となる。したがって、生地要素１５は、第２延在部１８ｂだけ構成すればよいことから、スラット３の１枚あたりに使用する使用量を削減することができる。
【００４０】
なお、第２実施形態の縦型ブラインドは、さらに、例えば以下のように適宜変更して実施することもできる。
バランスウェイト７は、表半体２１ａ、裏半体２１ｂに分割されたものでなくてもよく、例えばウェイト板２３が表半体２１ａおよび裏半体２１ｂに相当するハウジングに内蔵されたものであってもよい。
【００４１】
〔第３実施形態〕
第３実施形態で使用する生地要素１５は、バランスウェイトに取り付けるための取付部が次のように構成されている。図６（ａ）に示すように、取付部３１は、裁断片１９を備えておらず、第１延在部３２ａと、第１固定部３２ｂと、第２延在部３２ｃと、第２固定部３２ｄとを備えている。取付部３１は、主部１６から取付部３１までが繋ぎ合わされるのではなく一連であり、１枚の生地で構成されている。
【００４２】
第１延在部３２ａは、バランスウェイト４１の外表面４１ａに延在する部分であり、外表面４１ａと同形状で同じ大きさを有している。第１延在部３２ａは、外表面４１ａに対して表柄１２ａが外方を向くように配置され、スラット表面１１ａの表下部領域１３ａを構成する部分である。そして、第１延在部３２ａは、主部１６の下側に連続した領域である。
【００４３】
第１固定部３２ｂは、第１延在部３２ａに連続した部分であり、バランスウェイト４１の表半体と裏半体との間に位置して表半体と裏半体とに挟まれる部分である。第２延在部３２ｃは、バランスウェイト４１の外裏面４１ｂに延在する部分であり、外裏面４１ｂと同形状で同じ大きさを有している。第２延在部３２ｃは、外裏面４１ｂに対して裏柄１２ｂが外方を向くように配置され、スラット裏面１１ｂの裏下部領域１３ｂを構成する部分である。第２固定部３２ｄは、第１固定部３２ｂとともにバランスウェイト４１の表半体と裏半体とに挟まれる部分であり、表半体と裏半体との間に確実に固定できる大きさを有している。
【００４４】
図６（ｂ）に示すように、バランスウェイト４１は、第１半体としての表半体４２ａと、第２半体としての裏半体４２ｂと、ヒンジ部４３とを備え、対となる表半体４２ａと裏半体４２ｂとがヒンジ部４３を介して一体となっている。表半体４２ａと裏半体４２ｂは、ヒンジ部４３で折曲されることで、第１固定部３２ｂおよび第２固定部３２ｄを挟み込んだ状態で突き合わされる。表半体４２ａは、第１外表面としての外表面４１ａを備え、裏半体４２ｂは、第２外表面としての外裏面４１ｂとを備えている。表半体４２ａの内面は、鉄板などのウェイト板４４を備えている。なお、ウェイト板４４は、裏半体４２ｂの内面に配置してもよいし、表半体４２ａおよび裏半体４２ｂの各内面に配置するようにしてもよい。ヒンジ部４３は、表半体４２ａおよび裏半体４２ｂを上縁部において連結している。
【００４５】
表半体４２ａは、下側の長辺と当該長辺に隣接する２つの短辺とで構成される２つのコーナ部に、係合部となる突片４５ａを備えている。裏半体４２ｂは、下側の長辺と当該長辺に隣接する２つの短辺とで構成される２つのコーナ部に、突片４５ａが係合される被係合部としての係合孔４５ｂを備えている。表半体４２ａおよび裏半体４２ｂは、突片４５ａと係合孔４５ｂとが係合することによって互いに突き合わされた状態に維持される。
【００４６】
表半体４２ａおよび裏半体４２ｂは、ヒンジ部４３に近い上側の長辺と当該長辺に隣接する２つの短辺とで構成される２つのコーナ部に、ボトムコード８が掛け止められる掛けとめ部を構成する掛け止め片４６ａを備えている。各掛け止め片４６ａは、掛け止め孔４６ｂを備えている。ボトムコード８は、掛け止め孔４６ｂに係止される。また、ボトムコード８は、リング部材を介して掛け止め孔４６ｂに係止される。
【００４７】
裏半体４２ｂの内面は、係止突起４７が複数備えている。係止突起４７は、先鋭形状を有しており、第１固定部３２ｂおよび第２固定部３２ｄを挟み込むときに、第１固定部３２ｂおよび第２固定部３２ｄを係止することで、バランスウェイト４１が取付部３１に対して脱落しにくくする。なお、係止突起４７は、表半体４２ａの内面に設けられていてもよい。
【００４８】
表半体４２ａにおいて、上側の長辺に沿う位置には、取付部３１が挿通される第１挿通口としての表挿通口４８ａを備えている。また、裏半体４２ｂにおいて、上側の長辺に沿う位置には、取付部３１が挿通される第２挿通口としての裏挿通口４８ｂを備えている。さらに、ヒンジ部４３の位置、すなわち表挿通口４８ａおよび裏挿通口４８ｂの中間には、第３挿通口としての中間挿通口４９を備えている。さらに、表半体４２ａおよび裏半体４２ｂの下縁部には、表半体４２ａおよび裏半体４２ｂが突き合わされた状態において、取付部３１が導出される導出部４９ａが構成される。
【００４９】
以上のように構成されたバランスウェイト４１は、次のように生地要素１５の取付部３１に取り付けられる。図７に示すように、先ず、バランスウェイト４１は、ヒンジ部４３を上側にして表半体４２ａおよび裏半体４２ｂを山字型の半開きの状態にする。そして、中間挿通口４９からは、第２固定部３２ｄの先端部３１ａが導入される。その直後において、先端部３１ａは、表半体４２ａの表挿通口４８ａを通じて、表半体４２ａの外表面４１ａに導出され、外表面４１ａの上側から下側に導かれる（図７中ｉ参照）。その後、先端部３１ａは、表半体４２ａの下縁部で表半体４２ａの内面へ折り返され（図７中ｉｉ参照）、下側から上側に導かれ、裏挿通口４８ｂから導出される（図７中ｉｉｉ参照）。次いで、先端部３１ａは、ヒンジ部２２の部分で、裏半体４２ｂの外裏面４１ｂへ折り返され、上側から下側に導かれる。そして、先端部３１ａは、裏半体４２ｂの下縁部で裏半体４２ｂの内面へ折り返され、下側から上側に導かれる（図７中ｉｖ参照）。これにより、第１延在部３２ａは、表柄１２ａが外方を向くようにして表半体４２ａの外表面４１ａに延在する。第２延在部３２ｃは、裏柄１２ｂが外方を向くように裏半体４２ｂの外裏面４１ｂに延在する。そして、第１固定部３２ｂおよび第２固定部３２ｄが表半体４２ａおよび裏半体４２ｂの間に挟まれることになる。この後、半開きの状態の表半体４２ａおよび裏半体４２ｂは、閉じられ、結合される。これにより、バランスウェイト４１は、スラット３の下端部３ａにおいて、生地要素１５の取付部３１によって被覆される。
【００５０】
以上のような縦型ブラインドの第３実施形態は、以下に列挙する効果を得ることができる。
（３−１）生地要素１５は、取付部３１を構成するのに裁断が不要であり、第１実施形態および第２実施形態のように裁断片１９を裁断し、袋縫いする作業を省略することができる。
【００５１】
（３−２）取付部３１を挿通口４８ａ，４８ｂ，４９に挿通するとともに、取付部３１を複数回折り返すだけで、バランスウェイト４１を取付部３１で被覆して取り付けることができる。
【００５２】
〔第４実施形態〕
図８に示すように、第４実施形態は、第３実施形態のバランスウェイト４１の変形例である。このバランスウェイト４１は、裏挿通口４８ｂを省略し、代わりに、中間挿通口４９を幅広にし、中間挿通口４９に対して２回、取付部３１を挿通できるようにしている。
【００５３】
以上のように構成されたバランスウェイト４１は、次のように生地要素１５の取付部３１に取り付けられる。先ず、バランスウェイト４１は、ヒンジ部４３を上側にして表半体４２ａおよび裏半体４２ｂを山字型の半開きの状態にする。そして、中間挿通口４９からは、第２固定部３２ｄの先端部３１ａが導入される。その直後において、先端部３１ａは、表半体４２ａの表挿通口４８ａを通じて、表半体４２ａの外表面４１ａに導出さ、外表面７ａの上側から下側に導かれる（図８中ｉ参照）。その後、先端部３１ａは、表半体４２ａの下縁部で表半体４２ａの内面へ折り返され（図８中ｉｉ参照）、下側から上側に導かれ、中間挿通口４９から導出され、外裏面４１ｂの上側から下側に導かれる（図８中ｉｉｉ参照）。次いで、先端部３１ａは、裏半体４２ｂの上側から下側に折り返される。そして、先端部３１ａは、裏半体４２ｂの下縁部で裏半体４２ｂの内面へ折り返され、下側から上側に導かれる（図８中ｉｖ参照）。
【００５４】
以上のような縦型ブラインドの第４実施形態は、以下のような効果を得ることができる。
（４−１）バランスウェイト４１において、裏半体４２ｂの裏挿通口４８ｂを省略することができ、構成を簡素化することができる。
【００５５】
なお、第３実施形態および第４実施形態の縦型ブラインドは、さらに、例えば以下のように適宜変更して実施することもできる。
バランスウェイト４１は、図６（ｂ）、図７および図８に示した構成に限定されるものではない。例えば、表半体４２ａと裏半体４２ｂとは、ヒンジ部４３で一連に連結されておらず、別体であってもよい。この場合、表半体４２ａと裏半体４２ｂとは、別部材のヒンジ部材で連結されることになる。このような場合にも、取付部３１の第１延在部３２ａ、第１固定部３２ｂ、第２延在部３２ｃ、および第２固定部３２ｄは、表半体４２ａと裏半体４２ｂとがヒンジ部４３で一連に連結されたバランスウェイト４１の場合（図７及び図８参照）と同じような手順で巻き回される。そして、表半体４２ａと裏半体４２ｂが第１固定部３２ｂおよび第２固定部３２ｄの間に挟んだ状態で結合される。
【００５６】
また、バランスウェイト７は、ヒンジ部を備えておらず、別々の板材である表半体２１ａと裏半体２１ｂとで構成されていてもよい。この場合、中間挿通口４９は存在しなくなり、表半体４２ａの上縁部と裏半体４２ｂの上縁部との間が中間挿通口４９としての機能を有することになる。
【００５７】
〔第５実施形態〕
第５実施形態は、第３および第４実施形態のバランスウェイト４１の変形例である。図９に示すように、第５実施形態では、第４実施形態と同じ生地要素１５の取付部３１（図６（ａ）参照）が用いられる。
【００５８】
バランスウェイト５１は、第１半体としての表半体５２ａと、第２半体としての裏半体５２ｂと、ヒンジ部５３とを備え、対となる表半体５２ａと裏半体５２ｂとがヒンジ部５３を介して一体となっている。表半体５２ａと裏半体５２ｂは、ヒンジ部５３で折曲されることで、第１固定部３２ｂおよび第２固定部３２ｄを挟み込んだ状態で突き合わされる。表半体５２ａは、第１外表面としての外表面５１ａを備え、裏半体５２ｂは、第２外表面としての外裏面５１ｂとを備えている。表半体５２ａの内面は、鉄板などのウェイト板５４を備えている。なお、ウェイト板５４は、裏半体５２ｂの内面に配置してもよいし、表半体５２ａおよび裏半体４２ｂの各内面に配置するようにしてもよい。ヒンジ部５３は、表半体５２ａおよび裏半体５２ｂの下縁部において連結している。
【００５９】
また、表半体５２ａは、ヒンジ部５３と反対側の上側の長辺と当該長辺に隣接する２つの短辺とで構成される２つのコーナ部に、係合部となる突片５５ａを備えている。裏半体５２ｂは、上側の長辺と当該長辺に隣接する２つの短辺とで構成される２つのコーナ部に、突片５５ａと対をなす突片５５ｂを備えている。突片５５ｂには、突片５５ａが係合される係合孔５５ｃを備えている。突片５５ａと係合孔５５ｃとが係合することによって、表半体２１ａおよび裏半体２１ｂとは、互いに突き合わされた状態に維持される。突片５５ｂと同じ位置には、さらにボトムコード８が掛けとめられる掛け止め片５５ｄを備えている。掛け止め片５５ｄは、掛け止め孔５５ｅを備えている。ボトムコード８は、掛け止め孔５５ｅに係止される。また、ボトムコード８は、リング部材を介して掛け止め孔５５ｅに係止される。
【００６０】
裏半体５２ｂの内面は、係止突起５７が複数備えている。係止突起５７は、先鋭形状を有しており、第１固定部３２ｂおよび第２固定部３２ｄを挟み込むときに、第１固定部３２ｂおよび第２固定部３２ｄに係止され、バランスウェイト５１が取付部３１に対して脱落しにくくする。なお、係止突起５７は、表半体５２ａの内面に設けられていてもよい。
【００６１】
表半体５２ａにおいて、上側の長辺に沿う位置には、取付部３１が挿通される表挿通口５８を備えている。さらに、ヒンジ部５３の位置には、中間挿通口５９を備えている。さらに、表半体５２ａおよび裏半体５２ｂの上縁部には、表半体５２ａおよび裏半体５２ｂが突き合わされた状態において、取付部３１が導出される導出部５９ａが構成される。
【００６２】
以上のように構成されたバランスウェイト５１は、次のように生地要素１５の取付部３１に取り付けられる。図１０に示すように、先ず、バランスウェイト５１は、ヒンジ部５３を上側にして表半体５２ａおよび裏半体５２ｂをＶ字型の半開きの状態にする。そして、上側の導出部５９ａとなる開口端（表半体５２ａおよび裏半体５２ｂの間）からは、取付部３１の挿入端、すなわち第２固定部３２ｄの先端部３１ａが導入される（図１０中ｉ参照）。その直後において、先端部３１ａは、表半体５２ａの表挿通口５８を通じて、表半体５２ａの外表面５１ａに導出され、外表面５１ａの上側から下側に導かれる（図１０中ｉ参照）。その後、先端部３１ａは、表半体４２ａの下縁部で中間挿通口５９に導入され表半体５２ａの内面へ折り返され（図１０中ｉｉ参照）、下側から上側に導かれる。そして、裏半体５２ｂの上縁部で裏半体４２ｂの外裏面４１ｂへ折り返され（図１０中ｉｉｉ参照）、上側から下側に導かれる。そして、先端部３１ａは、中間挿通口５９に挿入されることで、裏半体４２ｂの内面へ折り返され、下側から上側に導かれる（図１０中ｉｖ参照）。これにより、第１延在部３２ａは、表柄１２ａが外方を向くようにして表半体５２ａの外表面５１ａに延在する。第２延在部３２ｃは、裏柄１２ｂが外方を向くように裏半体５２ｂの外裏面５１ｂに延在する。そして、第１固定部３２ｂおよび第２固定部３２ｄが重なって表半体５２ａおよび裏半体５２ｂの間に挟まれることになる。この後、半開きの状態の表半体４２ａおよび裏半体４２ｂは、閉じられ、結合される。これにより、バランスウェイト５１は、スラット３の下端部３ａにおいて、生地要素１５の取付部３１によって被覆される。
【００６３】
以上のような縦型ブラインドの第５実施形態は、以下に列挙する効果を得ることができる。
（５−１）生地要素１５は、取付部３１を構成するのに裁断が不要であり、第１実施形態および第２実施形態のように裁断片１９を裁断し袋縫いする作業を省略することができる。
【００６４】
（５−２）取付部３１をバランスウェイト５１の挿通口５８，５９に挿通するとともに、取付部３１を複数回折り返すだけで、バランスウェイト５１を取付部３１で被覆して取り付けることができる。
【００６５】
なお、第５実施形態の縦型ブラインドは、さらに、例えば以下のように適宜変更して実施することもできる。
バランスウェイト５１は、図９および図１０に示した構成に限定されるものではない。例えば、表半体５２ａと裏半体５２ｂとは、ヒンジ部５３で一連に連結されておらず、別体であってもよい。この場合にも、取付部３１の第１延在部３２ａ、第１固定部３２ｂ、第２延在部３２ｃ、および第２固定部３２ｄは、表半体４２ａと裏半体４２ｂとがヒンジ部５３で一連に連結されたバランスウェイト５１の場合（図９及び図１０参照）と同じような手順で巻き回される。そして、表半体５２ａと裏半体５２ｂが第１固定部３２ｂおよび第２固定部３２ｄの間に挟んだ状態で結合される。
【００６６】
〔第６実施形態〕
第６実施形態は、遮蔽装置をロールスクリーンに適用した例である。図１１および図１２（ａ）〜（ｃ）に示すように、ロールスクリーン６１は、スクリーン６２が支持部材としての取付枠（不図示）に対して巻き取り可能に吊り下げられている。取付枠は、その上部に設けられた２つのブラケット（不図示）を介して、窓の上枠などに固定され、取付枠の両端には、それぞれ下方へ延びるサイドブラケット（不図示）が取り付けられている。両サイドブラケット間には、巻取軸（不図示）が回転可能に配設されており、スクリーン６２の上端が巻取軸に固定されている。巻取軸の内部には、スクリーン６２を巻取軸に巻き上げる巻き上げ装置（不図示）が設けられている。スクリーン６２の下端には、ウェイト部材としてのウェイトバー６３が取り付けられている。ウェイトバー６３は、スクリーン６２の下端に備えられた取付部としての筒状部６４に対して挿入されている。
【００６７】
そして、スクリーン６２が下方に引かれ続ける操作が行われると、スクリーン６２が巻取軸から巻戻され、それと共に、巻き上げ装置に内蔵されたスプリングモータが付勢力を蓄積する。その後、スクリーン６２を引く力が解除されると、巻き上げ装置のロックが作動し、巻取軸から巻戻された状態で、スクリーン６２の下降は止る。一方、スクリーン６２が下方に引かれ、その直後に引く力が解除される操作が行われると、巻き上げ装置のロックが解除され、スプリングモータの付勢力に従って巻取軸が回転し、それによって、スクリーン６２が巻取軸にゆっくりと巻き取られる。その後、スクリーン６２が巻取軸にゆっくり巻き取られている間に、スクリーン６２が下方に引かれ、その直後に引く力が解除される操作が再び行われると、巻き上げ装置のロックが再び作動し、巻取軸に巻き取られた状態で、スクリーン６２の上昇は止る。
【００６８】
スクリーン６２は、第１遮蔽材面（第１スクリーン面）としてのスクリーン表面６２ａと、第２遮蔽材面（第２スクリーン面）としてのスクリーン裏面６２ｂとを備えている。スクリーン表面６２ａには、第１柄としての表柄（図中、文字「Ａ」）６８ａが施されており、スクリーン裏面６２ｂには、第２柄としての裏柄（図中、文字「Ｂ」）６８ｂが施されている。スクリーン表面６２ａは、ウェイトバー６３が配置される第１下部領域としての表下部領域７１ａと、表下部領域７１ａの上側に位置する第１主領域としての表主領域７２ａとを備えている。そして、表下部領域７１ａおよび表主領域７２ａとは表柄６８ａで統一されている。スクリーン裏面６２ｂは、ウェイトバー６３が配置される第２下部領域としての裏下部領域７１ｂと、裏下部領域７１ｂの上側に位置する第２主領域としての裏主領域７２ｂとを備えている。裏下部領域７１ｂおよび裏主領域７２ｂとは裏柄６８ｂで統一されている。
【００６９】
スクリーン６２を構成する生地要素７０は、第１生地面としての表生地面７０ａと、第２生地面としての裏生地面７０ｂとを備えている。表生地面７０ａには、上述の表柄（図中、文字「Ａ」）６８ａが設けられており、裏生地面７０ｂには、裏柄（図中、文字「Ｂ」）６８ｂが設けられている。図１２（ａ）に示すように、生地要素７０は、表主領域７２ａおよび裏主領域７２ｂを備えた主部７５と、主部７５の下側に連続して設けられるウェイトバー６３に対する取付部７６とを備えている。
【００７０】
ここで、図１２（ｃ）に示すように、ウェイトバー６３は、アルミ押出材である中空棒状のバー本体６５を備えている。バー本体６５は、縦断面形状が楕円形状を有し周回方向の側面部が円弧状面で構成されている。そして、ロールスクリーン６１の前面は、部屋内に位置し、バー本体６５の前面は、第１外表面としての外表面６６を構成している。また、ロールスクリーン６１の後面は、部屋外に位置し、バー本体６５の後面は、第２外表面としての外裏面６７を構成している。そして、バー本体６５の両端部には、キャップ６５ａが取り付けられている。
【００７１】
ウェイトバー６３が取り付けられる取付部７６は、ウェイトバー６３の外表面６６に延在する第１延在部７８ａと、ウェイトバー６３の外裏面６７に延在する第２延在部７８ｂとを備えている。
【００７２】
第１延在部７８ａは、外表面６６と同形状で同じ大きさを有している。第１延在部７８ａは、外表面６６に対して表柄６８ａが外方を向くように配置され、スクリーン表面６２ａの表下部領域７１ａを構成する部分である。そして、第１延在部７８ａは、主部７５の下側に連続した領域である。
【００７３】
第２延在部７８ｂは、第１延在部７８ａの下縁部の領域を裁断した裁断片７９で構成されている。裁断片７９は、第１延在部７８ａに対して裏返され、第１延在部７８ａに対して剥ぎ合わせによって縫着されている。すなわち、第１延在部７８ａの下縁部と裏返した裁断片７９の上縁部とを重ねて縫い代７９ａを設け、縫い代７９ａを縫い合わせることによって一連に繋げられる。縫い代７９ａは、ウェイトバー６３に取り付けられるとき、ウェイトバー６３の底部で折返部の内側に位置して、露出することはない。
【００７４】
第２延在部７８ｂは、外裏面６７と同形状で同じ大きさを有している。第２延在部７８ｂは、外裏面６７に対して裏柄６８ｂが外方を向くように配置され、スクリーン裏面６２ｂの裏下部領域７１ｂを構成する部分である。図１２（ｂ）に示すように、第２延在部７８ｂは、その下縁部８０が上を向くように折り返され、下縁部８０が第１延在部７８ａと主部７５との境界部に縫着される。下縁部８０は、当該境界部に対する縫い代を備えていてもよい。図１２（ｃ）に示すように、これにより、取付部７６は、第１延在部７８ａと第２延在部７８ｂとにより筒状部６４が構成される。そして、ウェイトバー６３は、筒状部６４に対して挿入されることで、筒状部６４に被覆されるようにして取り付けられる。その後、ウェイトバー６３の両端部には、キャップ６５ａが取り付けられる。
【００７５】
以上のようなロールスクリーンの第６実施形態は、以下に列挙する効果を得ることができる。
（６−１）スクリーン６２のスクリーン表面６２ａは、表下部領域７１ａおよび表主領域７２ａが生地要素７０の表生地面７０ａで統一され、スクリーン裏面６２ｂは、裏下部領域７１ｂおよび裏主領域７２ｂが裏生地面７０ｂで統一される。すなわち、スクリーン表面６２ａは、表下部領域７１ａおよび表主領域７２ａが表柄６８ａで統一され、スクリーン裏面６２ｂは、裏下部領域７１ｂおよび裏主領域７２ｂが裏柄６８ｂで統一される。したがって、スクリーン６２を裏側から見たときも、表側から見たときと同様に、意匠を向上することができる。
【００７６】
なお、第６実施形態のロールスクリーンは、さらに、例えば以下のように適宜変更して実施することもできる。
・ウェイトバー６３には、筒状部６４を介して操作具支持装置を取り付けるようにしてもよい。この場合、操作具支持装置、ウェイトバー６３の長手方向のほぼ中央部に取り付けられる。
【符号の説明】
【００７７】
１…ハンガーレール、２…ランナ、２ａ…先頭ランナ、３…スラット、３ａ…下端部、４…操作コード、５…チルトポール、６…駆動軸、７…バランスウェイト、７ａ…外表面、７ｂ…外裏面、８…ボトムコード、１１ａ…スラット表面、１１ｂ…スラット裏面、１２ａ…表柄、１２ｂ…裏柄、１３ａ…表下部領域、１３ｂ…裏下部領域、１４ａ…表主領域、１４ｂ…裏主領域、１５…生地要素、１５ａ…表生地面、１５ｂ…裏生地面、１６…主部、１７…取付部、１７ａ…先端部、１８ａ…第１延在部、１８ｂ…第２延在部、１８ｃ…固定部、１９…裁断片、１９ａ…縫い代、２１ａ…表半体、２１ｂ…裏半体、２２…ヒンジ部、２３…ウェイト板、２３ａ…突片、２３ｂ…突片、２３ｃ…係合孔、２３ｄ…掛け止め片、２３ｅ…掛け止め孔、２４…係止突起、２５…挿通口、２６…導出部、２７…下縁部、２８…筒状部、３１…取付部、３１ａ…先端部、３２ａ…第１延在部、３２ｂ…第１固定部、３２ｃ…第２延在部、３２ｄ…第２固定部、４１…バランスウェイト、４１ａ…外表面、４１ｂ…外裏面、４２ａ…表半体、４２ｂ…裏半体、４３…ヒンジ部、４４…ウェイト板、４５ａ…突片、４５ｂ…係合孔、４６ａ…掛け止め片、４６ｂ…掛け止め孔、４７…係止突起、４８ａ…表挿通口、４８ｂ…裏挿通口、４９…中間挿通口、４９ａ…導出部、５１…バランスウェイト、５１ａ…外表面、５１ｂ…外裏面、５２ａ…表半体、５２ｂ…裏半体、５３…ヒンジ部、５４…ウェイト板、５５ａ…突片、５５ｂ…突片、５５ｃ…係合孔、５５ｄ…掛け止め片、５５ｅ…掛け止め孔、５７…係止突起、５８…表挿通口、５９…中間挿通口、５９ａ…導出部、６１…ロールスクリーン、６２…スクリーン、６２ａ…スクリーン表面、６２ｂ…スクリーン裏面、６３…ウェイトバー、６４…筒状部、６５…バー本体、６５ａ…キャップ、６６…外表面、６７…外裏面、６８ａ…表柄、６８ｂ…裏柄、７０…生地要素、７０ａ…表生地面、７０ｂ…裏生地面、７１ａ…表下部領域、７１ｂ…裏下部領域、７２ａ…表主領域、７２ｂ…裏主領域、７５…主部、７６…取付部、７８ａ…第１延在部、７８ｂ…第２延在部、７９…裁断片、７９ａ…縫い代、８０…下縁部。
【図１】
2020002680.tif 000003
【図２】
2020002680.tif 000004
【図３】
2020002680.tif 000005
【図４】
2020002680.tif 000006
【図５】
2020002680.tif 000007
【図６】
2020002680.tif 000008
【図７】
2020002680.tif 000009
【図８】
2020002680.tif 000010
【図９】
2020002680.tif 000011
【図１０】
2020002680.tif 000012
【図１１】
2020002680.tif 000013
【図１２】
2020002680.tif 000014